(57)【要約】【課題】障害に対しても信号品質の劣化を抑えることができる光海底ケーブルシステムの分岐装置を提供する。【解決手段】第１信号及び前記第１信号とは異なる帯域の第２信号を含む第１光信号と、前記第１信号と同じ帯域の第３信号及び前記第２信号と同じ帯域の第４信号を含む第２光信号を受信する分岐装置は、前記第２光信号が正常であるか否かを監視する監視手段と、前記第２光信号が正常であると、前記第１信号及び前記第４信号を含む光信号を出力し、前記第２光信号が正常ではないと、前記第１信号及び前記第２信号を含む光信号を出力する出力手段と、を備えていることを特徴とする。【選択図】図３
2018078452.tif 000002
【特許請求の範囲】
【請求項１】
第１信号及び前記第１信号とは異なる帯域の第２信号を含む第１光信号と、前記第１信号と同じ帯域の第３信号及び前記第２信号と同じ帯域の第４信号を含む第２光信号を受信する分岐装置であって、
前記第２光信号が正常であるか否かを監視する監視手段と、
前記第２光信号が正常であると、前記第１信号及び前記第４信号を含む光信号を出力し、前記第２光信号が正常ではないと、前記第１信号及び前記第２信号を含む光信号を出力する出力手段と、
を備えていることを特徴とする分岐装置。
【請求項２】
前記監視手段は、前記第２光信号又は前記第４信号のレベルを閾値と比較することで前記第２光信号が正常であるか否かを監視することを特徴とする請求項１に記載の分岐装置。
【請求項３】
前記出力手段は、
前記第１光信号を前記第１信号及び前記第２信号に分離して出力する分離手段と、
前記第２光信号をフィルタして前記第４信号を出力するフィルタ手段と、
前記第２光信号が正常か否かに基づき、前記分離手段が出力する前記第２信号、又は、前記フィルタ手段が出力する前記第４信号を出力する選択手段と、
前記選択手段の出力と前記分離手段が出力する前記第１信号とを合波する合波手段と、
を備えていることを特徴とする請求項１又は２に記載の分岐装置。
【請求項４】
前記出力手段は、
前記第１光信号を前記第１信号及び前記第２信号に分離して出力する分離手段と、
前記第２光信号をフィルタして前記第４信号を出力するフィルタ手段と、
前記第２光信号が正常か否かに基づき、前記分離手段が出力する前記第２信号を出力するか否かを選択する選択手段と、
前記分離手段が出力する前記第１信号と前記選択手段の出力とを合波する第１合波手段と、
前記第１合波手段の出力と前記フィルタ手段が出力する前記第４信号とを合波する第２合波手段と、
を備えていることを特徴とする請求項１又は２に記載の分岐装置。
【請求項５】
前記出力手段は、
前記第１光信号をフィルタして前記第１信号を出力する第１フィルタ手段と、
前記第２光信号が正常か否かに基づき、前記第１光信号又は前記第２光信号を出力する選択手段と、
前記選択手段の出力をフィルタして前記第２信号又は前記第４信号を出力する第２フィルタ手段と、
前記第１フィルタ手段が出力する前記第１信号と前記第２フィルタ手段の出力とを合波する合波手段と、
を備えていることを特徴とする請求項１又は２に記載の分岐装置。
【請求項６】
前記出力手段は、前記第１信号及び前記第２信号を含む光信号を出力する場合、前記受信した前記第１光信号を分離することなく出力することを特徴とする請求項１又は２に記載の分岐装置。
【請求項７】
前記出力手段は、
前記第１光信号をフィルタして前記第１信号を出力する第１フィルタ手段と、
前記第２光信号をフィルタして前記第４信号を出力する第２フィルタ手段と、
前記第２光信号が正常か否かに基づき、前記第１光信号又は前記第１フィルタ手段が出力する前記第１信号を出力する選択手段と、
前記選択手段の出力と前記第２フィルタ手段が出力する前記第４信号とを合波する合波手段と、
を備えていることを特徴とする請求項１、２又は６に記載の分岐装置。
【請求項８】
前記出力手段は、波長選択スイッチであることを特徴とする請求項１又は２に記載の分岐装置。
【請求項９】
前記監視手段は、前記第１光信号が正常であるか否かをさらに監視し、
前記出力手段は、前記第２光信号が正常であり、かつ、前記第１光信号が正常であると、前記第１信号及び前記第４信号を含む光信号を出力し、前記第２光信号が正常ではなく、かつ、前記第１光信号が正常であると、前記第１信号及び前記第２信号を含む光信号を出力し、前記第２光信号が正常であり、かつ、前記第１光信号が正常ではないと、前記第３信号及び前記第４信号を含む光信号を出力することを特徴とする請求項１又は２に記載の分岐装置。
【請求項１０】
前記出力手段は、
前記第１光信号を前記第１信号及び前記第２信号に分離して出力する第１分離手段と、
前記第２光信号を前記第３信号及び前記第４信号に分離して出力する第２分離手段と、
前記第１光信号が正常であるか否かと、前記第２光信号が正常であるか否かに基づき、前記第１分離手段が出力する前記第１信号、又は、前記第２分離手段が出力する前記第３信号を出力する第１選択手段と、
前記第１光信号が正常であるか否かと、前記第２光信号が正常であるか否かに基づき、前記第１分離手段が出力する前記第２信号、又は、前記第２分離手段が出力する前記第４信号を出力する第２選択手段と、
前記第１選択手段の出力と前記第２選択手段の出力とを合波する合波手段と、
を備えていることを特徴とする請求項９に記載の分岐装置。
【請求項１１】
請求項１から１０のいずれか１項に記載の分岐装置を有する光海底ケーブルシステムであって、
前記第１光信号を前記分岐装置に向けて送信する第１端局装置と、
前記第２光信号を前記分岐装置に向けて送信する第２端局装置と、
前記分岐装置の前記出力手段が出力する光信号を受信する第３端局装置と、
を備えていることを特徴とする光海底ケーブルシステム。
【発明の詳細な説明】
【技術分野】
【０００１】
本発明は、分岐を有する光海底ケーブルシステムに関する。
【背景技術】
【０００２】
図１は、特許文献１に記載された光海底ケーブルシステムの構成図である。図１において、端局装置１、２及び３は、通信局舎内に設置されるが、分岐装置４は、海底に設置される。以下の説明では、分岐装置４から端局装置１までの区間を区間Ａと呼び、端局装置２から分岐装置４までの区間を区間Ｂと呼び、端局装置３から分岐装置４までの区間を区間Ｃと呼ぶものとする。なお、端局装置１は、端局装置２及び３それぞれに光信号を送信し、端局装置２及び３は、それぞれ、端局装置１に光信号を送信する。端局装置１から端局装置２及び３に向かう方向は下り方向と呼ばれ、端局装置２及び３から端局装置１に向かう方向は上り方向と呼ばれる。なお、本発明は、上り方向に関するものであるため、以下では、上り方向についてのみ説明する。区間Ａ、区間Ｂ及び区間Ｃには、それぞれ、図１では三角形で示す１つ以上の光中継器が設けられる。なお、各光中継器は光増幅器を含み、通過する光信号の増幅を行う。
【０００３】
図２は、図１に示す光海底ケーブルシステムの給電構成を示す図である。例えば、給電装置（ＰＦＥ）５１、５２及び５３は、それぞれ、端局装置１、２及び３と同じ通信局舎に設置される。区間Ａ及び区間Ｃは、所謂、両端給電構成であり、例えば、ＰＦＥ５１及びＰＦＥ５３が出力する電圧により、区間Ａ及び区間Ｃの各光中継器には所定電流が流れる。これにより、区間Ａ及び区間Ｃの各光中継器は動作する。一方、区間Ｂは、所謂、片端給電構成であり、給電ラインのＰＦＥ５２とは反対側の端部は、分岐装置４において接地される。そして、ＰＦＥ５２が出力する電圧により、区間Ｂの各光中継器には所定電流が流れる。この様に、光海底ケーブルシステムの光中継器は、定電流制御（定出力制御）であり、増幅するために光信号に加えるパワーは一定である。
【０００４】
図１の構成において、端局装置２は、信号Ｌを端局装置１に送信し、端局装置３は、信号Ｌとは周波数（波長）が異なる信号Ｓを端局装置１に送信する。なお、信号Ｌ及び信号Ｓそれぞれも波長多重信号であり得る。分岐装置４は、端局装置２からの信号Ｌと端局装置３からの信号Ｓとを合波して端局装置１に向けて出力する。上述した様に、光海底ケーブルシステムの光中継器は、定電流制御であるため、区間Ａの光中継器では、増幅のためのパワーが信号Ｓと信号Ｌにそれぞれ分配される。一方、区間Ｂの光中継器では、区間Ａの光中継器と同じ増幅のためのパワーが信号Ｌにのみ加えられ、区間Ｃの光中継器では、区間Ａの光中継器と同じ増幅のためのパワーが信号Ｓにのみ加えられる。これにより、区間Ｂ及び区間Ｃでは、信号Ｌや信号Ｓのパワーが増大しすぎ、光ファイバの非線形効果により信号品質が劣化し得る。一方、通過する信号に光中継器が与える増幅のためのパワーを、区間Ｂ及びＣでの信号品質劣化が起こらない程度まで小さくすると、区間Ａでの増幅が十分に行われなくなり、区間Ａにおける中継間隔が短くなる。これは、光中継器数を増大させ、コスト高となる。さらに、区間Ａ、Ｂ、Ｃそれぞれの光中継器を、通過する信号に応じて最適な増幅率となる様に個別に設計すると、区間毎に異なる仕様の光中継器が必要となり、やはり、コスト高となる。
【０００５】
このため特許文献１は、端局装置２及び３が、それぞれ、ダミー光信号を送信することを開示している。具体的には、図１に示す様に、端局装置２は、信号Ｌと、ダミー信号Ｓｄ（以下、単に信号Ｓｄと呼ぶ。）を送信する。信号Ｓｄは、端局装置３が送信する信号Ｓと同じ帯域の信号である。同様に、端局装置３は、信号Ｓと、ダミー信号Ｌｄ（以下、単に信号Ｌｄと呼ぶ。）を送信する。信号Ｌｄは、端局装置２が送信する信号Ｌと同じ帯域の信号である。そして、分岐装置４は、端局装置２からの信号のうち、信号Ｌのみを取出し、端局装置３からの信号のうち、信号Ｓのみを取出し、取り出した信号Ｓ及びＬを合波して区間Ａに出力する。この構成により、区間に拘らず、光中継器での増幅のパワーは信号Ｓ（又は信号Ｓｄ）及び信号Ｌ（又は信号Ｌｄ）に同様に配分され、中継間隔を短くすることなく、信号品質の劣化を抑え、かつ、同じ光中継器を各区間で使用することができる。
【先行技術文献】
【特許文献】
【０００６】
【特許文献１】特開２０１１−８２７５１号公報
【発明の概要】
【発明が解決しようとする課題】
【０００７】
例えば、光海底ケーブルシステムでは、ケーブルの絶縁体が破壊されて給電ラインが地絡する、所謂、シャント障害が起こり得る。区間Ａ及びＣの様な両端給電構成の場合、ＰＦＥ５１及び５３は、給電ラインからシャント位置（電位が零）まで所定電流が流れる様に、その出力電圧を調整するため、区間Ａ及びＣでシャント障害が発生しても区間Ａ及びＣの光中継器には所定電流が供給され、区間Ａ及びＣの光中継器は、動作を継続させることができる。一方、区間Ｂの様な片端給電の場合、ＰＦＥ５３が、給電ラインからシャント位置（電位が零）まで所定電流が流れる様に、その出力電圧を調整したとしても、シャント位置から分岐装置４までの区間にある光中継器には電流が流れず、よって、分岐装置４は、端局装置２からの信号を受信しなくなる。
【０００８】
この様に、区間Ｂからの信号が途絶えると、分岐装置４が区間Ａに向けて送信する信号は信号Ｓのみとなる。この場合、区間Ａの光中継器は、増幅のためのパワーを総て信号Ｓに加えることになり、よって、区間Ａにおいて信号Ｓの品質が劣化し得る。
【０００９】
本発明は、障害に対しても信号品質の劣化を抑えることができる光海底ケーブルシステム及びその分岐装置を提供するものである。
【課題を解決するための手段】
【００１０】
本発明の一側面によると、第１信号及び前記第１信号とは異なる帯域の第２信号を含む第１光信号と、前記第１信号と同じ帯域の第３信号及び前記第２信号と同じ帯域の第４信号を含む第２光信号を受信する分岐装置であって、前記第２光信号が正常であるか否かを監視する監視手段と、前記第２光信号が正常であると、前記第１信号及び前記第４信号を含む光信号を出力し、前記第２光信号が正常ではないと、前記第１信号及び前記第２信号を含む光信号を出力する出力手段と、を備えていることを特徴とする。
【発明の効果】
【００１１】
本発明によると、障害に対しても信号品質の劣化を抑えることができる。
【図面の簡単な説明】
【００１２】
【図１】一実施形態による光海底ケーブルシステムの構成図。
【図２】一実施形態による光海底ケーブルシステムの給電構成図。
【図３】一実施形態による分岐装置の構成図。
【図４】一実施形態による分岐装置の構成図。
【図５】一実施形態による分岐装置の構成図。
【図６】一実施形態による分岐装置の構成図。
【図７】一実施形態による分岐装置の構成図。
【図８】一実施形態による分岐装置の構成図。
【発明を実施するための形態】
【００１３】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１４】
図１は、本発明の各実施形態による光海底ケーブルシステムの構成図である。端局装置１、２及び３は、通信局舎内に設置され、分岐装置４は、海底に設置される。以下の説明では、分岐装置４から端局装置１までの区間を区間Ａと呼び、端局装置２から分岐装置４までの区間を区間Ｂと呼び、端局装置３から分岐装置４までの区間を区間Ｃと呼ぶものとする。区間Ａ、区間Ｂ及び区間Ｃには、それぞれ、図１では三角形で示す１つ以上の光中継器が設けられる。なお、各光中継器は光増幅器を含み、通過する光信号の増幅を行う。図１に示す様に、端局装置２は、信号Ｌと信号Ｓｄと、を区間Ｂに送信する。一方、端局装置３は、信号Ｓと信号Ｌｄと、を区間Ｃに送信する。信号Ｓｄ及び信号Ｌｄは、上述した様に、ダミー信号であり、情報を搬送する光信号ではない。一方、信号Ｓ及び信号Ｌは、情報を搬送する信号である。なお、信号Ｓ及び信号Ｌは、例えば、波長多重信号であり得る。また、信号Ｓｄは、端局装置３が送信する信号Ｓと同じ帯域の信号であり、信号Ｌｄは、端局装置２が送信する信号Ｌと同じ帯域の信号である。光海底ケーブルシステムに障害が発生していない通常時、分岐装置４は、端局装置２からの信号のうち、信号Ｌのみを取出し、端局装置３からの信号のうち、信号Ｓのみを取出し、取り出した信号Ｓ及びＬを合波して区間Ａに出力する。
【００１５】
図２は、図１に示す光海底ケーブルシステムの給電構成を示す図である。例えば、給電装置（ＰＦＥ）５１、５２及び５３は、それぞれ、端局装置１、２及び３と同じ通信局舎に設置される。区間Ａ及び区間Ｃは、所謂、両端給電構成であり、例えば、ＰＦＥ５１及びＰＦＥ５３が出力する電圧により、区間Ａ及び区間Ｃの各光中継器には所定電流が流れる。これにより、区間Ａ及び区間Ｃの各光中継器は動作する。一方、区間Ｂは、所謂、片端給電構成であり、給電ラインのＰＦＥ５２とは反対側の端部は、分岐装置４において接地される。そして、ＰＦＥ５２が出力する電圧により、区間Ｂの各光中継器には所定電流が流れる。この様に、光海底ケーブルシステムの光中継器は、定電流制御（定出力制御）であり、増幅するために光信号に加える電力は一定である。
【００１６】
上述した様に、例えば、区間Ｂでシャント障害が発生し、これにより、分岐装置４が区間Ａに向けて送信する信号が信号Ｓのみとなると、端局装置３から端局装置１への光伝送路は正常であるにも拘らず区間Ａにおいて信号Ｓの品質が劣化し得る。本発明では、この様な場合でも信号Ｓの品質劣化を抑える。このため、分岐装置４は、区間Ｂからの光信号又は当該光信号に含まれる信号Ｌのレベルを閾値と比較することで区間Ｂが正常であるか否かを監視・判定する監視制御部と、区間Ｂが正常であると監視制御部が判定すると、信号Ｓ及び信号Ｌを含む光信号を区間Ａに出力し、区間Ｂが障害であると監視制御部が判定すると、信号Ｓ及び信号Ｌｄを含む光信号を区間Ａに出力する出力部と、を備えている。以下、出力部の様々な実施形態について説明する。
【００１７】
＜第一実施形態＞
図３は、本実施形態による分岐装置４の構成図である。分離部４１は、区間Ｃから信号Ｓ及びＬｄを含む光信号を受信し、信号Ｓを合波部４５に出力し、信号Ｌｄを光スイッチ部４４に出力する。分離部４１は、区間Ｃからの光信号を２分岐する分岐部と、分岐された各光信号から信号Ｓと信号Ｌｄそれぞれを取り出すフィルタにより構成することができる。フィルタ部４２は、区間Ｂから信号Ｓｄ及びＬを含む光信号を受信し、信号Ｓｄを阻止し、信号Ｌのみを光スイッチ部４４に出力する。また、監視制御部４３は、フィルタ部４２が出力する信号Ｌのレベルを閾値と比較することで区間Ｂからの光信号の正常性、つまり、区間Ｂが正常状態であるか障害状態であるかを監視する。具体的には、信号Ｌのレベルが閾値以上の間、区間Ｂは正常状態であると判定し、監視制御部４３は、光スイッチ部４４が信号Ｌを合波部４５に向けて出力する様に光スイッチ部４４を制御する。一方、信号Ｌが閾値未満の間、区間Ｂが障害状態であると判定し、監視制御部４３は、光スイッチ部４４が信号Ｌｄを合波部４５に向けて出力する様に光スイッチ部４４を制御する。合波部４５は、光スイッチ部４４が出力する信号Ｌ又は信号Ｌｄと、分離部４１からの信号Ｓとを合波して区間Ａに出力する。
【００１８】
この構成により、区間Ｂが正常であると、分岐装置４は、区間Ａに信号Ｓ及び信号Ｌを含む光信号を送信する。一方、区間Ｂのシャント障害、区間Ｂの光ファイバの断線、区間Ｂの光中継器の故障等により、区間Ｂが障害となると、分岐装置４は、区間Ａに信号Ｓ及び信号Ｌｄを含む光信号を送信する。したがって、区間Ａの光中継器において、その増幅のためのパワーが信号ＳのみならずＬｄにも加えられ、これにより信号Ｓの品質が劣化することを防止することができる。なお、監視制御部４３は、フィルタ部４２の出力を監視するのではなく、フィルタ部４２の入力を監視する構成であっても良い。
【００１９】
＜第二実施形態＞
図４は、本実施形態による分岐装置４の構成図である。分岐・分離部４６は、区間Ｃから信号Ｓ及びＬｄを含む光信号を受信し、信号Ｓを合波部４５に出力し、信号Ｓ及びＬｄを含む光信号を光スイッチ部４４に出力する。分岐・分離部４６は、区間Ｃからの光信号を２分岐する分岐部と、分岐された一方の光信号から信号Ｓを取り出すフィルタにより構成することができる。なお、分岐された他方の光信号は、光スイッチ部４４に出力される。監視制御部４３は、区間Ｂから受信する信号Ｓｄ及びＬを含む光信号のレベルを監視する。光信号のレベルが閾値以上の間、光スイッチ部４４が信号Ｓｄ及びＬを含む光信号をフィルタ部４２に向けて出力する様に監視制御部４３は光スイッチ部４４を制御する。一方、信号Ｓｄ及びＬを含む光信号のレベル信号Ｌが閾値未満の間、光スイッチ部４４が信号Ｓ及びＬｄを含む光信号をフィルタ部４２に向けて出力する様に監視制御部４３は光スイッチ部４４を制御する。フィルタ部４２は、光スイッチ部４４からの光信号の内、信号Ｓ又はＳｄを阻止し、信号Ｌ又はＬｄのみを合波部４５に出力する。合波部４５は、フィルタ部４２が出力する信号Ｌ又は信号Ｌｄと、分岐・分離部４１からの信号Ｓとを合波して区間Ａに出力する。
【００２０】
この構成により、区間Ｂが正常であると、分岐装置４は、区間Ａに信号Ｓ及び信号Ｌを含む光信号を送信する。一方、区間Ｂが障害となると、分岐装置４は、区間Ａに信号Ｓ及び信号Ｌｄを含む光信号を送信する。したがって、区間Ａの光中継器において、その増幅のためのパワーが信号ＳのみならずＬｄにも加えられ、これにより信号Ｓの品質が劣化することを防止することができる。
【００２１】
＜第三実施形態＞
図５は、本実施形態による分岐装置４の構成図である。分離部４１は、区間Ｃから信号Ｓ及びＬｄを含む光信号を受信し、信号Ｓを合波部４７に出力し、信号Ｌｄを光ブロッカ４８に出力する。フィルタ部４２は、区間Ｂから信号Ｓｄ及びＬを含む光信号を受信し、信号Ｓｄを阻止し、信号Ｌのみを合波部４５に出力する。また、監視制御部４３は、フィルタ部４２が出力する信号Ｌのレベルを監視する。信号Ｌのレベルが閾値以上の間、光ブロッカ４８が、信号Ｌｄをブロック、つまり、出力しない様に監視制御部４３は光ブロッカ４８を制御する。一方、信号Ｌが閾値未満の間、光ブロッカ４８が、信号Ｌｄを合波部４７に向けて出力する様に監視制御部４３は光ブロッカ４８を制御する。したがって、合波部４７は、信号Ｌのレベルが閾値以上の間、信号Ｓのみを出力し、信号Ｌのレベルが閾値未満の間、信号Ｓ及びＬｄを含む光信号を合波部４５に出力する。合波部４５は、フィルタ部４２が出力する光信号と、合波部４７が出力する光信号を合波して区間Ａに出力する。したがって、合波部４５は、信号Ｌのレベルが閾値以上の間、信号Ｓ及びＬを含む光信号を区間Ａに出力し、信号Ｌのレベルが閾値未満の間、信号Ｓ及びＬｄを含む光信号を区間Ａに出力する。
【００２２】
この構成により、区間Ｂが正常であると、分岐装置４は、区間Ａに信号Ｓ及び信号Ｌを含む光信号を送信する。一方、区間Ｂが障害となると、分岐装置４は、区間Ａに信号Ｓ及び信号Ｌｄを含む光信号を送信する。したがって、区間Ａの光中継器において、その増幅のためのパワーが信号ＳのみならずＬｄにも加えられ、これにより信号Ｓの品質が劣化することを防止することができる。なお、監視制御部４３は、フィルタ部４２の出力を監視するのではなく、フィルタ部４２の入力を監視する構成であっても良い。
【００２３】
＜第四実施形態＞
図６は、本実施形態による分岐装置４の構成図である。分岐・分離部４６は、区間Ｃから信号Ｓ及びＬｄを含む光信号を受信し、信号Ｓと、信号Ｓ及びＬｄを含む光信号とを、光スイッチ部４４に出力する。フィルタ部４２は、区間Ｂから信号Ｓｄ及びＬを含む光信号を受信し、信号Ｓｄを阻止し、信号Ｌのみを合波部４５に出力する。監視制御部４３は、フィルタ部４２が出力する信号Ｌのレベルを監視する。信号Ｌのレベルが閾値以上の間、光スイッチ部４４が信号Ｓを選択して合波部４５に出力し、信号Ｌのレベルが閾値未満の間、光スイッチ部４４が信号Ｓ及びＬｄを含む光信号を選択して合波部４５に出力する様に、監視制御部４３は光スイッチ部４４を制御する。合波部４５は、フィルタ部４２からの出力信号と、光スイッチ部４４の出力信号とを合波して区間Ａに出力する。よって、合波部４５は、信号Ｌのレベルが閾値以上の間、信号Ｓ及びＬを含む光信号を区間Ａに出力し、信号Ｌのレベルが閾値未満の間、信号Ｓ及びＬｄを含む光信号を区間Ａに出力する。
【００２４】
この構成により、区間Ｂが正常であると、分岐装置４は、区間Ａに信号Ｓ及び信号Ｌを含む光信号を送信する。一方、区間Ｂが障害となると、分岐装置４は、区間Ａに信号Ｓ及び信号Ｌｄを含む光信号を送信する。したがって、区間Ａの光中継器において、その増幅のためのパワーが信号ＳのみならずＬｄにも加えられ、これにより信号Ｓの品質が劣化することを防止することができる。なお、監視制御部４３は、フィルタ部４２の出力を監視するのではなく、フィルタ部４２の入力を監視する構成であっても良い。
【００２５】
なお、本実施形態において、信号Ｌのレベルが閾値未満の間、区間Ａに出力される信号Ｓ及びＬｄを含む光信号は、区間Ｃから受信した光信号に対して分離処理を行っていないものである。これに対して第一実施形態から第三実施形態では、区間Ａに出力する信号Ｓ及びＬｄを含む光信号は、区間Ｃから受信した光信号を信号Ｓと信号Ｌｄに分離し、その後、再度、多重（合波）したものである。この場合、分離、多重や、その経路の違いにより、信号Ｓと信号Ｌｄとのレベルの関係が区間Ｃから受信したときとは異なるものとなる。したがって、第一実施形態から第三実施形態では、区間Ａに出力する信号Ｓ及びＬｄを含む光信号の信号Ｓと信号Ｌｄとのレベルの関係を調整する調整部材（増幅器又は減衰器）が必要になる。一方、本実施形態では、区間Ａに出力する信号Ｓ及びＬｄを含む光信号は、区間Ｃから受信した光信号を同じ経路で伝送したものであり、調整部材を不要とすることができる。
【００２６】
＜第五実施形態＞
図７は、本実施形態による分岐装置４の構成図である。区間Ｃからの信号Ｓ及びＬｄを含む光信号と、区間Ｂからの信号Ｓｄ及びＬを含む光信号は、それぞれ、波長選択スイッチ４９に入力される。監視制御部４３は、区間Ｂから受信する信号Ｓｄ及びＬを含む光信号のレベルを監視する。そして、信号Ｓｄ及びＬを含む光信号のレベルが閾値以上の間、波長選択スイッチ４９が、信号Ｓ及び信号Ｌを含む光信号を出力する様に、監視制御部４３は波長選択スイッチ４９を制御する。一方、信号Ｓｄ及びＬを含む光信号のレベルが閾値未満の間、波長選択スイッチ４９が、信号Ｓ及び信号Ｌｄを含む光信号を出力する様に、監視制御部４３は波長選択スイッチ４９を制御する。
【００２７】
この構成により、区間Ｂが正常であると、分岐装置４は、区間Ａに信号Ｓ及び信号Ｌを含む光信号を送信する。一方、区間Ｂが障害となると、分岐装置４は、区間Ａに信号Ｓ及び信号Ｌｄを含む光信号を送信する。したがって、区間Ａの光中継器において、その増幅のためのパワーが信号ＳのみならずＬｄにも加えられ、これにより信号Ｓの品質が劣化することを防止することができる。
【００２８】
なお、本実施形態においては、監視制御部４３が、区間Ｃから受信する信号Ｓ及びＬｄを含む光信号のレベルをさらに監視する構成とすることができる。この場合、信号Ｓ及びＬｄを含む光信号のレベルが閾値以上の間、波長選択スイッチ４９が、信号Ｓ及び信号Ｌを含む光信号を出力する様に、監視制御部４３は波長選択スイッチ４９を制御する。一方、信号Ｓ及びＬｄを含む光信号のレベルが閾値未満の間、波長選択スイッチ４９が、信号Ｓｄ及び信号Ｌを含む光信号を出力する様に、監視制御部４３は波長選択スイッチ４９を制御する。
【００２９】
この構成により、区間Ｃの光ファイバの断線、区間Ｃの光中継器の故障等により、区間Ｃが障害となると、分岐装置４は、区間Ａに信号Ｓｄ及び信号Ｌを含む光信号を送信する。したがって、区間Ａの光中継器において、その増幅のためのパワーが信号ＬのみならずＳｄにも加えられ、これにより信号Ｌの品質が劣化することを防止することができる。
【００３０】
＜第六実施形態＞
第五実施形態では、監視制御部４３が、区間Ｂからの光信号のみならず、区間Ｃからの光信号のレベルを監視することで、区間Ｃの障害時、区間Ａに信号Ｓｄ及び信号Ｌを含む光信号を送信することで、信号Ｌの劣化を抑える構成について述べた。本実施形態でも、第五実施形態と同様に、区間Ｂの障害時のみならず、区間Ｃの障害時にも区間Ａの光中継器での信号品質の劣化を抑える。
【００３１】
図８は、本実施形態による分岐装置４の構成図である。分離部４１１は、区間Ｃから信号Ｓ及びＬｄを含む光信号を受信し、信号Ｓを光スイッチ部４４２に出力し、信号Ｌｄを光スイッチ部４４１に出力する。同様に、分離部４１２は、区間Ｂから信号Ｓｄ及びＬを含む光信号を受信し、信号Ｓｄを光スイッチ部４４２に出力し、信号Ｌを光スイッチ部４４１に出力する。監視制御部４３は、区間Ｂからの信号のレベルと、区間Ｃからの信号のレベルをそれぞれ監視し、そのレベルが閾値未満となると、当該区間の障害と判定する。なお、監視するポイントは、分離部４１１及び分離部４１２の入力側であっても出力側であっても良い。
【００３２】
そして、監視制御部４３は、区間Ｂ及び区間Ｃが共に正常であると、光スイッチ部４４２が信号Ｓを出力し、光スイッチ部４４１が信号Ｌを出力する様に、光スイッチ部４４２及び４４１を制御する。一方、監視制御部４５は、区間Ｂが正常であるが、区間Ｃが障害であると、光スイッチ部４４２が信号Ｓｄを出力し、光スイッチ部４４１が信号Ｌを出力する様に、光スイッチ部４４２及び４４１を制御する。さらに、区間Ｃが正常であるが、区間Ｂが障害であると、光スイッチ部４４２が信号Ｓを出力し、光スイッチ部４４１が信号Ｌｄを出力する様に、光スイッチ部４４２及び４４１を制御する。そして、合波部４５は、光スイッチ部４４２及び４４１それぞれからの光信号を合波して区間Ａに出力する。
【００３３】
この構成により、区間Ｂ及びＣが共に正常であると、分岐装置４は、区間Ａに信号Ｓ及び信号Ｌを含む光信号を送信する。一方、区間Ｂが障害であるが、区間Ｃが正常であると、分岐装置４は、区間Ａに信号Ｓ及び信号Ｌｄを含む光信号を送信する。さらに、区間Ｃが障害であるが、区間Ｂが正常であると、分岐装置４は、区間Ａに信号Ｓｄ及び信号Ｌを含む光信号を送信する。したがって、区間Ａの光中継器において、その増幅のためのパワーが信号Ｌのみに加えられたり、信号Ｓのみに加えられたりすることで生じる信号品質の劣化を防止することができる。
【符号の説明】
【００３４】
１〜３：端局装置、４：分岐装置、４１：分離部、４１１：分離部、４１２:分離部、４２：フィルタ部、４３：監視制御部、４４：光スイッチ部、４４１：光スイッチ部、４４２：光スイッチ部、４５：合波部、４６：分岐・分離部、４７：合波部、４８：光ブロッカ、４９：波長選択スイッチ、５１〜５３：給電装置（ＰＦＥ）
【図１】
2018078452.tif 000003
【図２】
2018078452.tif 000004
【図３】
2018078452.tif 000005
【図４】
2018078452.tif 000006
【図５】
2018078452.tif 000007
【図６】
2018078452.tif 000008
【図７】
2018078452.tif 000009
【図８】
2018078452.tif 000010